(57)【要約】【課題】略メンテナンスフリーとすることができる空調システムを提供する。【解決手段】建物１の床下空間４に空調装置３０２が設置されており、空調装置３は、下流側の冷暖房機能及び除湿機能を有する空調本体装置としてのエアコンディショナの屋内機３Ａと、上流側の気液接触型の空気清浄装置としてのエアワッシャー３Ｂとが通気可能に接続されて成り、空調装置３０２には、エアワッシャー３Ｂ側に、建物１の床部１ａに設けられた排気口６とダクト８３を介して連通する内気吸込部３１Ｂが設けられており、エアコンディショナの屋内機３Ａ側に建物１の床部１ａに設けられた給気口７とダクト８２を介して連通する床上用吹出部３２が設けられた構成とされている。【選択図】図８
2011179807.tif 000002
【特許請求の範囲】
【請求項１】
建物の床下空間に空調装置が設置されており、
前記空調装置は、下流側の冷暖房機能及び除湿機能を有する空調本体装置と、上流側の気液接触型の空気清浄装置とが通気可能に接続されて成り、
前記空調装置には、前記気液接触型の空気清浄装置側に、内気吸込部が設けられており、前記建物の床上空間に面して設けられた排気口と連通する内気吸込部が設けられており、前記空調本体装置側に前記建物の床上空間に面して設けられた給気口と連通する床上用吹出部が設けられていることを特徴とする空調システム。
【請求項２】
前記給気口と前記床上用吹出部との間が、ダクトを介して接続されていることを特徴とする請求項１に記載の空調システム。
【請求項３】
前記排気口と前記内気吸込部との間が、ダクトを介して接続されていることを特徴とする請求項１又は２に記載の空調システム。
【請求項４】
建物の床下空間に換気機能も備えた空調装置が設置されており、
前記空調装置は、下流側の冷暖房機能及び除湿機能を有する空調本体装置と、上流側の気液接触型の空気清浄装置とが通気可能に接続されて成り、
前記空調装置には、前記気液接触型の空気清浄装置側に、前記建物の外側面に面して設けられた外気吸入口と連通する外気吸込部が設けられており、前記空調本体装置側に前記建物の床上空間に面して設けられた給気口と連通する床上用吹出部が設けられていることを特徴とする空調システム。
【請求項５】
前記外気吸入口と前記外気吸込部との間が、ダクトを介して接続されているとともに、前記給気口と前記床上用吹出部との間も、ダクトを介して接続されていることを特徴とする請求項４に記載の空調システム。
【請求項６】
前記床上空間に面して、排気口が設けられており、前記空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされていることを特徴とする請求項４又は５に記載の空調システム。
【請求項７】
前記排気口と前記内気吸込部との間が、ダクトを介して接続されているとともに、前記排気口と前記内気吐出口との間も、ダクトを介して接続されていることを特徴とする請求項６に記載の空調システム。
【請求項８】
前記排気口と前記内気吸込部との間は、ダクトを介して接続されていないともに、前記床上空間に面して、内気排気口が設けられており、該内気排気口と前記内気吐出口との間が、ダクトを介して接続されていることを特徴とする請求項６に記載の空調システム。
【請求項９】
前記外気吸入口から吸入される空気量と、前記内気吐出口から吐出される前記床上空間の空気量とは、略同一とされるとともに、この換気用の空気量は、前記床上空間を循環する空調用の空気量よりも小さいことを特徴とする請求項６乃至８のいずれか１項に記載の空調システム。
【請求項１０】
前記空調装置の前記空調本体装置側に、床下用吹出部が設けられていることを特徴とする請求項１乃至９のいずれか１項に記載の換気空調システム。
【請求項１１】
前記床上空間に面して、前記給気口とは別の給気口が設けられており、該別の給気口は、前記床下空間と連通していることを特徴とする請求項１０に記載の空調システム。
【請求項１２】
前記空調装置の前記気液接触型の空気清浄装置側に、床下用吸込部が設けられていることを特徴とする請求項１０又は１１に記載の空調システム。
【請求項１３】
前記空調装置の前記床上用吹出部からの空調された空気の吹き出しと、前記床下用吹出部からの空調された空気の吹き出しとを、それぞれ独立して制御可能とされていることを特徴とする請求項１０乃至１２のいずれか１項に記載の空調システム。
【請求項１４】
前記空調装置の前記空調本体装置は、ヒートポンプ式のエアコンディショナの屋内機であり、屋外に設置された屋外機と接続されていることを特徴とする請求項１乃至１３のいずれか１項に記載の空調システム。
【請求項１５】
前記床下空間は、前記建物の床と基礎底盤コンクリートと基礎側壁コンクリートとに囲まれているとともに、前記基礎側壁コンクリートには基礎断熱材が取り付けられていることを特徴とする請求項１乃至１４のいずれか１項に記載の空調システム。
【請求項１６】
請求項１乃至１５のいずれか１項に記載の空調システムを備えていることを特徴とする建物。
【発明の詳細な説明】
【技術分野】
【０００１】
本発明は、建物の空調システム及びこの空調システムを備えた建物に関するものである。
【背景技術】
【０００２】
従来から、建物の床上空間における空調を行うにあたり、気液接触型の空気清浄装置（エアワッシャー）を用いて空気を清浄化する空調システムが知られている（例えば、特許文献１等を参照）。
【先行技術文献】
【特許文献】
【０００３】
【特許文献１】特開２００５−２１１７４１号公報
【発明の概要】
【発明が解決しようとする課題】
【０００４】
しかしながら、特許文献１のような従来の空調システムは、一般の住宅などに比べて、比較にならないほどの清浄化が要求されるクリーンルームという特殊な環境で用いるため、空調装置の上流側にフィルターを設け、さらに下流側に気液接触型の空気清浄装置を設ける構成であった。
【０００５】
こうした構成なので、フィルター交換などのメンテナンスの頻度を若干減らすことはできるものの、略メンテナンスフリーとすることはできなかった。
【０００６】
そこで、本発明は、略メンテナンスフリーとすることができる空調システム及びこの空調システムを備えた建物を提供することを目的としている。
【課題を解決するための手段】
【０００７】
前記目的を達成するために、本発明の第１の空調システムは、建物の床下空間に空調装置が設置されており、前記空調装置は、下流側の冷暖房機能及び除湿機能を有する空調本体装置と、上流側の気液接触型の空気清浄装置とが通気可能に接続されて成り、前記空調装置には、前記気液接触型の空気清浄装置側に、内気吸込部が設けられており、前記建物の床上空間に面して設けられた排気口と連通する内気吸込部が設けられており、前記空調本体装置側に前記建物の床上空間に面して設けられた給気口と連通する床上用吹出部が設けられていることを特徴とする。
【０００８】
ここで、前記給気口と前記床上用吹出部との間が、ダクトを介して接続されているとよい。
【０００９】
また、前記排気口と前記内気吸込部との間が、ダクトを介して接続されているとよい。
【００１０】
本発明の第２の空調システムは、建物の床下空間に換気機能も備えた空調装置が設置されており、前記空調装置は、下流側の冷暖房機能及び除湿機能を有する空調本体装置と、上流側の気液接触型の空気清浄装置とが通気可能に接続されて成り、前記空調装置には、前記気液接触型の空気清浄装置側に、前記建物の外側面に面して設けられた外気吸入口と連通する外気吸込部が設けられており、前記空調本体装置側に前記建物の床上空間に面して設けられた給気口と連通する床上用吹出部が設けられていることを特徴とする。
【００１１】
ここで、前記外気吸入口と前記外気吸込部との間が、ダクトを介して接続されているとともに、前記給気口と前記床上用吹出部との間も、ダクトを介して接続されているとよい。
【００１２】
また、前記床上空間に面して、排気口が設けられており、前記空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされているとよい。
【００１３】
さらに、前記排気口と前記内気吸込部との間が、ダクトを介して接続されているとともに、前記排気口と前記内気吐出口との間も、ダクトを介して接続されているとよい。
【００１４】
また、前記排気口と前記内気吸込部との間は、ダクトを介して接続されていないともに、前記床上空間に面して、内気排気口が設けられており、該内気排気口と前記内気吐出口との間が、ダクトを介して接続されていてもよい。
【００１５】
また、前記外気吸入口から吸入される空気量と、前記内気吐出口から吐出される前記床上空間の空気量とは、略同一とされるとともに、この換気用の空気量は、前記床上空間を循環する空調用の空気量よりも小さいとよい。
【００１６】
さらに、前記空調装置の前記空調本体装置側に、床下用吹出部が設けられていてもよい。
【００１７】
ここで、前記床上空間に面して、前記給気口とは別の給気口が設けられており、該別の給気口は、前記床下空間と連通していてもよい。
【００１８】
また、前記空調装置の前記気液接触型の空気清浄装置側に、床下用吸込部が設けられていてもよい。
【００１９】
さらに、前記空調装置の前記床上用吹出部からの空調された空気の吹き出しと、前記床下用吹出部からの空調された空気の吹き出しとを、それぞれ独立して制御可能とされているとよい。
【００２０】
また、前記空調装置の前記空調本体装置は、ヒートポンプ式のエアコンディショナの屋内機であり、屋外に設置された屋外機と接続されているとよい。
【００２１】
さらに、前記床下空間は、前記建物の床と基礎底盤コンクリートと基礎側壁コンクリートとに囲まれているとともに、前記基礎側壁コンクリートには基礎断熱材が取り付けられているとよい。
【００２２】
本発明の建物は、上記した空調システムを備えていることを特徴とする。
【発明の効果】
【００２３】
このような本発明の第１の空調システムは、建物の床下空間に空調装置が設置されており、空調装置は、下流側の冷暖房機能及び除湿機能を有する空調本体装置と、上流側の気液接触型の空気清浄装置とが通気可能に接続されて成る。
【００２４】
そして、空調装置には、気液接触型の空気清浄装置側に、内気吸込部が設けられており、建物の床上空間に面して設けられた排気口と連通する内気吸込部が設けられており、空調本体装置側に建物の床上空間に面して設けられた給気口と連通する床上用吹出部が設けられた構成とされている。
【００２５】
こうした構成なので、気液接触型の空気清浄装置がフィルターのかわりとなり、しかもフィルター交換の必要がないため、略メンテナンスフリーとなる。
【００２６】
ここで、給気口と床上用吹出部との間が、ダクトを介して接続されている場合は、給気口と床上用吹出部との間を、簡易な構造で連通させることができる。
【００２７】
また、排気口と内気吸込部との間が、ダクトを介して接続されている場合は、排気口と内気吸込部との間を、簡易な構造で連通させることができる。
【００２８】
このような本発明の第２の空調システムは、建物の床下空間に換気機能も備えた空調装置が設置されており、空調装置は、下流側の冷暖房機能及び除湿機能を有する空調本体装置と、上流側の気液接触型の空気清浄装置とが通気可能に接続されて成る。
【００２９】
そして、空調装置には、気液接触型の空気清浄装置側に、建物の外側面に面して設けられた外気吸入口と連通する外気吸込部が設けられており、空調本体装置側に建物の床上空間に面して設けられた給気口と連通する床上用吹出部が設けられた構成とされている。
【００３０】
こうした構成なので、空気清浄化などの換気と冷暖房や調湿などの空調とを同時に管理制御して行える。
【００３１】
そのうえ、気液接触型の空気清浄装置がフィルターのかわりとなり、しかもフィルター交換の必要がないため、略メンテナンスフリーとなる。
【００３２】
ここで、外気吸入口と外気吸込部との間が、ダクトを介して接続されているとともに、給気口と床上用吹出部との間も、ダクトを介して接続されている場合は、外気吸入口と外気吸込部との間、及び給気口と床上用吹出部との間を、簡易な構造で連通させることができる。
【００３３】
また、床上空間に面して、排気口が設けられており、空調装置の気液接触型の空気清浄装置側に、排気口と連通する内気吸込部が設けられており、排気口を通じて、床上空間の空気を吸込可能とされているとともに、建物の外側面に面して設けられた内気吐出口が床上空間と連通しており、内気吐出口を通じて、床上空間の空気の一部を建物の外部に吐出可能とされている場合は、換気ルートと空調ルートとが明確となるので、空気清浄化などの換気と冷暖房や調湿などの空調とを効率的に同時に管理制御して行える。
【００３４】
さらに、排気口と前記内気吸込部との間が、ダクトを介して接続されているとともに、排気口と内気吐出口との間も、ダクトを介して接続されている場合は、排気口と内気吸込部との間、及び排気口と内気吐出口との間を、簡易な構造で連通させることができる。
【００３５】
また、排気口と内気吸込部との間は、ダクトを介して接続されていないともに、床上空間に面して、内気排気口が設けられており、内気排気口と内気吐出口との間が、ダクトを介して接続されている場合は、排気口と内気吸込部との間は、ダクトを介して接続されていないため、床上空間と床下空間との両方を、簡易な構造で清浄化することができる。
【００３６】
また、外気吸入口から吸入される空気量と、内気吐出口から吐出される床上空間の空気量とは、略同一とされるとともに、この換気用の空気量は、床上空間を循環する空調用の空気量よりも小さい場合は、換気による熱損失が小さいので、空気清浄化などの換気と冷暖房や調湿などの空調とをより効率的に同時に管理制御して行える。
【００３７】
さらに、空調装置の空調本体装置側に、床下用吹出部が設けられている場合は、床下用吹出部から暖気を吹き出し、床下空間を暖めることで、床を介して熱が伝達し、床上空間を均一にムラなく暖めるとともに頭寒足熱の快適な環境となる床下暖房を行うこともできる。
【００３８】
ここで、床上空間に面して、給気口とは別の給気口が設けられており、別の給気口は、床下空間と連通している場合は、空調装置の気液接触型の空気清浄装置側に、床下用吸込部を別途設けないで済むため、その分経済的に実施することができる。
【００３９】
また、空調装置の気液接触型の空気清浄装置側に、床下用吸込部が設けられている場合は、埃のたまりやすい床下空間を清浄化することができるし、別の給気口を設けないで済むため、床上空間の意匠的外観を向上させることができる。
【００４０】
さらに、空調装置の床上用吹出部からの空調された空気の吹き出しと、床下用吹出部からの空調された空気の吹き出しとを、それぞれ独立して制御可能とされている場合は、床上用吹出部からの冷房と、床上用吹出部からの即効性を有する暖房と、床下用吹出部からの床下暖房とを簡易に切替制御することができる。
【００４１】
また、空調装置の空調本体装置は、ヒートポンプ式のエアコンディショナの屋内機であり、屋外に設置された屋外機と接続されている場合は、ヒートポンプを用いるため、省エネルギー性能に優れたものとすることができる。
【００４２】
さらに、床下空間は、建物の床と基礎底盤コンクリートと基礎側壁コンクリートとに囲まれているとともに、基礎側壁コンクリートには基礎断熱材が取り付けられている場合は、床下空間を断熱構造とするため、床下空間内の暖気の熱を屋外に極力漏らすことなく、エネルギー効率のよい床下暖房を行える。
【００４３】
このような本発明の建物は、本発明の空調システムを備えた構成とされているので、上記した効果を奏する建物とすることができる。
【図面の簡単な説明】
【００４４】
【図１】実施例１の空調システムを備えた建物の概略構成を説明する説明図である。
【図２】実施例１の空調システムにおいて、即効性を有する暖房、冷房、又は空気清浄化を行った状態を示す説明図である。
【図３】実施例１の空調システムにおいて、床下暖房を行った状態を示す説明図である。
【図４】実施例１の空調システムにおいて、即効性を有する暖房及び床下暖房の両方を行った状態を示す説明図である。
【図５】実施例２の空調システムを備えた建物の概略構成を説明する説明図である。
【図６】実施例３の空調システムを備えた建物の概略構成を説明する説明図である。
【図７】実施例４の空調システムを備えた建物の概略構成を説明する説明図である。
【図８】実施例５の空調システムを備えた建物の概略構成を説明する説明図である。
【図９】実施例６の空調システムを備えた建物の概略構成を説明する説明図である。
【図１０】実施例７の空調システムを備えた建物の概略構成を説明する説明図である。
【図１１】実施例８の空調システムを備えた建物の概略構成を説明する説明図である。
【発明を実施するための形態】
【００４５】
以下、本発明を実施するための形態を、図面に示す実施例１〜８に基づいて説明する。
【実施例１】
【００４６】
先ず、実施例１について説明する。
【００４７】
図１は、実施例１の空調システムを備えた建物１の概略構成を示している。
【００４８】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４９】
そして、この天井部１ｅと外壁部１ｄとに囲まれる空間は、床としての床部１ａによって床下空間４と居室などの床上空間５とが区切られている。この床部１ａは、特に床下空間４側からの床下暖房を考慮して、床下空間４と床上空間５との間の熱の伝達を許容し、断熱材が貼り付けられていない構成となっている。
【００５０】
また、基礎側壁コンクリート１ｃの床下空間４側には、グラスウールなどの基礎断熱材１０が貼り付けられており、床下空間４内の暖気の熱が屋外に極力漏れない断熱構造となっている。
【００５１】
そして、実施例１の空調システムは、床下空間４に換気機能を備えた空調装置３が設置されている。
【００５２】
この空調装置３は、下流側の冷暖房機能及び除湿機能を有する空調本体装置としてのエアコンディショナの屋内機３Ａと、上流側の気液接触型の空気清浄機としてのエアワッシャー３Ｂとが通気可能に接続された構成である。
【００５３】
ここで、この空調本体装置としてのエアコンディショナの屋内機３Ａは、ヒートポンプ式であり、建物１の屋外に設置された屋外機２と接続されている。
【００５４】
また、エアコンディショナの屋内機３Ａの内部には、屋外機２に繋がっている熱媒循環管路２１が接続されている。
【００５５】
さらに、このエアコンディショナの屋内機３Ａには、除湿機能を有するものが用いられており、床下空間４から屋外へ貫通する排水用のドレイン１２が設けられている。
【００５６】
また、このエアコンディショナの屋内機３Ａは、床上用吹出部３２と床下用吹出部３３とを有している。
【００５７】
さらに、このエアコンディショナの屋内機３Ａには、床上用吹出部３２及び床下用吹出部３３から空気を様々な強さで吹き出させることが可能なファン（図示せず）が内蔵されている。
【００５８】
また、床上用吹出部３２と床下用吹出部３３とには、電動ダンパーなどから成る開閉弁３２ａ，３３ａがそれぞれ設けられている。
【００５９】
ここで、気液接触型の空気清浄機としてのエアワッシャー３Ｂは、外気吸込部３１Ａと、内気吸込部３１Ｂとを有している。
【００６０】
また、床部１ａには、グリル付きの排気口６と２種類の給気口７，９とが設けられている。
【００６１】
ここで、給気口７は、ダクト８２によりエアコンディショナの屋内機３Ａの床上用吹出部３２と接続されており、別の給気口９は、ダクトを介さず、床下空間４と直接連通している。
【００６２】
また、エアワッシャー３Ｂの外気吸込部３１Ａは、ダクト８１により、基礎側壁コンクリート１ｃに設けられた外気吸入口１１と接続されている。
【００６３】
ここで、ダクト８１内には、吸入用ファン１６が設けられている。
【００６４】
さらに、エアワッシャー３Ｂの内気吸込部３１Ｂは、ダクト８３により、排気口６と接続されている。
【００６５】
そして、ダクト８３は、ダクト８４により、基礎側壁コンクリート１ｃに設けられた内気吐出口１４と接続されている。
【００６６】
ここで、ダクト８４内には、吐出用ファン１５が設けられている。
【００６７】
なお、空調用の空気量よりも換気用の空気量を小さくするために、ダクト８１，８４には、ダクト８２，８３よりも内径の小さいものが用いられている。
【００６８】
また、床上空間５には、所望の運転パターンに設定するためのコントローラ１３が設けられている。
【００６９】
次に、実施例１の換気空調システムの運転パターンについて説明する。
【００７０】
まず、暖房運転時のパターンについて説明する。
【００７１】
床上空間５を、即効性を有する暖房のみで暖めたいときは、空調装置３の床上用吹出部３２の開閉弁３２ａを開状態とし、床下用吹出部３３の開閉弁３３ａは閉状態とする。
【００７２】
そして、空調装置３を稼動させると、図２に示したように、床上空間５のみで暖気が対流して、床上空間５が即座に暖まる。
【００７３】
床上空間５を、床下暖房のみで暖めたいときは、空調装置３の床上用吹出部３２の開閉弁３２ａを閉状態とし、床下用吹出部３３の開閉弁３３ａは開状態とする。
【００７４】
そして、空調装置３を稼動させると、図３に示したように、床下空間４が即座に暖められ、その熱が主に床部１ａを介して床上空間５へ伝達され、床上空間５が均一にムラなく暖まる。
【００７５】
冬場の厳寒期などに、床上空間５を、即効性を有する暖房及び床下暖房の両者で暖めたいときは、空調装置３の床上用吹出部３２の開閉弁３２ａを開状態とし、床下用吹出部３３の開閉弁３３ａも開状態とする。
【００７６】
そして、空調装置３を稼動させると、図４に示したように、床上空間５のみで対流する暖気と、主に床部１ａを介して床上空間５へ伝達され、床上空間５を均一にムラなく暖める熱とで、床上空間５が即座に且つ均一にムラなく暖まる。
【００７７】
なお、いずれの暖房運転の際も、エアワッシャー３Ｂを空気が通過するために、床上空間５内の空気が加湿される。
【００７８】
次に、冷房運転時のパターンについて説明する。
【００７９】
床上空間５を冷房で冷やしたいときは、空調装置３の床上用吹出部３２の開閉弁３２ａを開状態とし、床下用吹出部３３の開閉弁３３ａは閉状態とする。
【００８０】
そして、空調装置３を稼動させると、図２に示したように、床上空間５のみで冷気が対流して、床上空間５が即座に冷やされる。
【００８１】
なお、この冷房運転時の際には、エアワッシャー３Ｂを空気が通過するために、エアコンディショナの屋内機３Ａの除湿機能で除湿する。
【００８２】
次に、空気清浄化運転時のパターンについて説明する。
【００８３】
床上空間５の空気清浄化のみをしたいときは、空調装置３の床上用吹出部３２の開閉弁３２ａを開状態とし、床下用吹出部３３の開閉弁３３ａは閉状態とする。
【００８４】
そして、空調装置３を稼動させると、図２に示したように、床上空間５のみで空気が対流して、床上空間５の空気が清浄化される。
【００８５】
なお、この空気清浄化運転時の際には、エアワッシャー３Ｂを空気が通過するために、湿度の高い夏場などであれば、エアコンディショナの屋内機３Ａの除湿機能で除湿し、湿度の低い冬場などであれば、除湿機能を停止して、加湿すればよい。
【００８６】
ここで、いずれの運転時の際も、吸入用ファン１６を回して外気吸入口１１から吸入される空気量は、約１５０ｍ３／ｈとし、吐出用ファン１５を回して内気吐出口１４から吐出される空気量は、略同一の約１５０ｍ３／ｈとした。
【００８７】
また、床上空間５を循環する空気量、すなわち、排気口６から吸い込まれる空気量は、約６５０ｍ３／ｈとした。
【００８８】
要するに、換気用の空気量を空調用の空気量よりも小さくすることにより、熱損失を小さくした。
【００８９】
但し、これらの数値は、床上空間５の広さなどの関係から適宜変化するものである。
【００９０】
次に、実施例１の作用効果について説明する。
【００９１】
このような実施例１の空調システムは、建物１の床下空間４に換気機能を備えた空調装置３が設置されており、空調装置３は、下流側の冷暖房機能及び除湿機能を有する空調本体装置としてのエアコンディショナの屋内機３Ａと、上流側の気液接触型の空気清浄装置としてのエアワッシャー３Ｂとが通気可能に接続されて成る。
【００９２】
そして、空調装置３には、エアワッシャー３Ｂ側に、建物１の基礎側壁コンクリート１ｃに設けられた外気吸入口１１とダクト８１を介して連通する外気吸込部３１Ａが設けられており、エアコンディショナの屋内機３Ａ側に建物１の床部１ａに設けられた給気口７とダクト８２を介して連通する床上用吹出部３２が設けられた構成とされている。
【００９３】
こうした構成なので、空気清浄化などの換気と冷暖房や調湿などの空調とを同時に管理制御して行える。
【００９４】
そのうえ、気液接触型の空気清浄装置としてのエアワッシャー３Ｂがフィルターのかわりとなり、しかもフィルター交換の必要がないため、略メンテナンスフリーとなる。
【００９５】
ここで、床部１ａに排気口６が設けられており、換気空調装置３のエアワッシャー３Ｂ側に、排気口６とダクト８３を介して連通する内気吸込部３１Ｂが設けられており、排気口６を通じて、床上空間５の空気を吸込可能とされているとともに、建物１の基礎側壁コンクリート１ｃに設けられた内気吐出口１４がダクト８４を介してダクト８３と連通しており、内気吐出口１４を通じて、床上空間５の空気の一部を建物の外部に吐出可能とされている。
【００９６】
このため、換気ルートと空調ルートとが明確となるので、空気清浄化などの換気と冷暖房や調湿などの空調とを効率的に同時に管理制御して行える。
【００９７】
また、外気吸入口１１から吸入される空気量と、内気吐出口１４から吐出される床上空間５の空気量とは、略同一とされるとともに、この換気用の空気量は、床上空間５を循環する空調用の空気量よりも小さくされている。
【００９８】
このため、換気による熱損失が小さいので、空気清浄化などの換気と冷暖房や調湿などの空調とをより効率的に同時に管理制御して行える。
【００９９】
さらに、空調装置３のエアコンディショナの屋内機３Ａ側に、床下用吹出部３３が設けられている。
【０１００】
このため、床下用吹出部３３から暖気を吹き出し、床下空間４を暖めることで、床部１ａを介して熱が伝達し、床上空間５を均一にムラなく暖めるとともに頭寒足熱の快適な環境となる床下暖房を行うこともできる。
【０１０１】
ここで、床部１ａには、給気口７とは別の給気口９が設けられており、この別の給気口９は、床下空間４と連通している。
【０１０２】
このため、空調装置３のエアワッシャー３Ｂ側に、床下用吸込部を別途設けないで済むため、その分経済的に実施することができる。
【０１０３】
また、空調装置３のエアコンディショナの屋内機３Ａ側の床上用吹出部３２と床下用吹出部３３とには、開閉弁３２ａ，３３ａがそれぞれ設けられており、床上用吹出部３２からの空調された空気の吹き出しと、床下用吹出部３３からの空調された空気の吹き出しとを、それぞれ独立して制御可能とされている。
【０１０４】
このため、開閉弁３２ａ，３３ａの開閉により、床上用吹出部３２からの冷房と、床上用吹出部３２からの即効性を有する暖房と、床下用吹出部３３からの床下暖房とを簡易に切替制御することができる。
【０１０５】
さらに、空調装置３のエアコンディショナの屋内機３Ａは、ヒートポンプ式であり、屋外に設置された屋外機２に接続されている。
【０１０６】
このため、ヒートポンプを用いるので、省エネルギー性能に優れたものとすることができる。
【０１０７】
また、床下空間４は、建物１の床としての床部１ａと基礎底盤コンクリート１ｂと基礎側壁コンクリート１ｃとに囲まれているとともに、基礎側壁コンクリート１ｃには基礎断熱材１０が取り付けられている。
【０１０８】
このため、床下空間４が断熱構造とされ、床下空間４内の暖気の熱を屋外に極力漏らすことなく、エネルギー効率のよい床下暖房を行える。
【０１０９】
このような実施例１の建物１は、実施例１の空調システムを備えた構成とされているので、上記した作用効果を奏する建物とすることができる。
【０１１０】
そのうえ、空調装置３などが、床下空間４に設置されているので、床上空間５は、これらに占用されず、有効に利用することができるうえに、意匠的外観が良い。
【実施例２】
【０１１１】
次に、実施例２について説明する。
【０１１２】
なお、実施例１で説明した内容と同一乃至均等な部分の説明については同一符号を付して説明する。
【０１１３】
図５は、実施例２の空調システムを備えた建物１Ａの概略構成を示している。
【０１１４】
この実施例２の建物１Ａでは、床部１ａにダクトを介さない別の給気口９が設けられておらず、空調装置３０のエアワッシャー３Ｂ側に床下用吸込部３１Ｃが設けられていることが実施例１の建物１と主に異なる。
【０１１５】
このため、埃のたまりやすい床下空間４を清浄化することができるし、別の給気口９を設けないで済むため、床上空間５の意匠的外観を向上させることができる。
【０１１６】
なお、他の構成及び作用効果については、実施例１と略同様であるので説明を省略する。
【実施例３】
【０１１７】
次に、実施例３について説明する。
【０１１８】
なお、実施例１で説明した内容と同一乃至均等な部分の説明については同一符号を付して説明する。
【０１１９】
図６は、実施例３の空調システムを備えた建物１Ｂの概略構成を示している。
【０１２０】
この実施例３の建物１Ｂでは、床部１ａにダクトを介さない別の給気口９が設けられておらず、空調装置３００のエアコンディショナの屋内機３Ａ側に床下用吹出部３３が設けられておらず、床上用吹出部３２の開閉弁３２ａも設けられていないことが実施例１の建物１と主に異なる。
【０１２１】
このため、床上空間５が床下暖房を必要としないときに好適であり、空調装置３００の構造を簡略化することができる。
【０１２２】
また、別の給気口９を設けないで済むため、床上空間５の意匠的外観を向上させることができる。
【０１２３】
なお、他の構成及び作用効果については、実施例１と略同様であるので説明を省略する。
【実施例４】
【０１２４】
次に、実施例４について説明する。
【０１２５】
なお、実施例１で説明した内容と同一乃至均等な部分の説明については同一符号を付して説明する。
【０１２６】
図７は、実施例４の空調システムを備えた建物１Ｃの概略構成を示している。
【０１２７】
この実施例４の建物１Ｃでは、床部１ａに設けられた排気口６と空調装置３０１のエアワッシャー３Ｂ側の内気吸込部３１Ｂとの間は、ダクト８３を介して接続されていない。
【０１２８】
そして、床部１ａには、内気排気口６０が別途設けられており、この内気排気口６０と内気吐出口１４との間が、ダクト８４を介して接続されていることが、実施例１の建物１と主に異なる。
【０１２９】
このため、排気口６と内気吸込部３１Ｂとの間は、ダクト８３を介して接続されていないので、床上空間５と床下空間４との両方を、簡易な構造で清浄化することができる。
【０１３０】
なお、他の構成及び作用効果については、実施例１と略同様であるので説明を省略する。
【実施例５】
【０１３１】
次に、実施例５について説明する。
【０１３２】
なお、実施例１で説明した内容と同一乃至均等な部分の説明については同一符号を付して説明する。
【０１３３】
図８は、実施例５の空調システムを備えた建物１Ｄの概略構成を示している。
【０１３４】
この実施例５の建物１Ｄでは、外気吸入口１１と、内気吐出口１４と、ダクト８１と、ダクト８４と、空調装置３０２のエアワッシャー３Ｂ側の外気吸込部３１Ａとが設けられておらず、換気機能を備えていないことが、実施例１の建物１と主に異なる。
【０１３５】
なお、他の構成及び作用効果については、実施例１と略同様であるので説明を省略する。
【実施例６】
【０１３６】
次に、実施例６について説明する。
【０１３７】
なお、実施例１，２，５で説明した内容と同一乃至均等な部分の説明については同一符号を付して説明する。
【０１３８】
図９は、実施例６の空調システムを備えた建物１Ｅの概略構成を示している。
【０１３９】
この実施例６の建物１Ｅでは、床部１ａにダクトを介さない別の給気口９が設けられておらず、空調装置３０３のエアワッシャー３Ｂ側に床下用吸込部３１Ｃが設けられていることが実施例５の建物１Ｄと主に異なる。
【０１４０】
すなわち、この実施例６の空調システムは、実施例２の空調システムにおいて、換気機能を備えていないタイプのものといえる。
【０１４１】
なお、他の構成及び作用効果については、実施例１，２，５と略同様であるので説明を省略する。
【実施例７】
【０１４２】
次に、実施例７について説明する。
【０１４３】
なお、実施例１，３，５で説明した内容と同一乃至均等な部分の説明については同一符号を付して説明する。
【０１４４】
図１０は、実施例７の空調システムを備えた建物１Ｆの概略構成を示している。
【０１４５】
この実施例７の建物１Ｆでは、床部１ａにダクトを介さない別の給気口９が設けられておらず、空調装置３０４のエアコンディショナの屋内機３Ａ側に床下用吹出部３３が設けられておらず、床上用吹出部３２の開閉弁３２ａも設けられていないことが実施例５の建物１Ｄと主に異なる。
【０１４６】
すなわち、この実施例７の空調システムは、実施例３の空調システムにおいて、換気機能を備えていないタイプのものといえる。
【０１４７】
なお、他の構成及び作用効果については、実施例１，３，５と略同様であるので説明を省略する。
【実施例８】
【０１４８】
次に、実施例８について説明する。
【０１４９】
なお、実施例１，４，５で説明した内容と同一乃至均等な部分の説明については同一符号を付して説明する。
【０１５０】
図１１は、実施例８の空調システムを備えた建物１Ｇの概略構成を示している。
【０１５１】
この実施例８の建物１Ｇでは、床部１ａに設けられた排気口６と空調装置３０５のエアワッシャー３Ｂ側の内気吸込部３１Ｂとの間は、ダクト８３を介して接続されていないことが、実施例５の建物１Ｄと主に異なる。
【０１５２】
すなわち、この実施例８の空調システムは、実施例４の空調システムにおいて、換気機能を備えていないタイプのものといえる。
【０１５３】
なお、他の構成及び作用効果については、実施例１，４，５と略同様であるので説明を省略する。
【０１５４】
以上、図面を参照して、本発明を実施するための形態を実施例１〜８に基づいて詳述してきたが、具体的な構成は、これらの実施例１〜８に限らず、本発明の要旨を逸脱しない程度の設計的変更は、本発明に含まれる。
【０１５５】
例えば、実施例１〜８では、本発明の換気空調システムの説明を簡単に行えるように、建物１，１Ａ，１Ｂ，１Ｃ，１Ｄ，１Ｅ，１Ｆ，１Ｇの構造などを単純化したが、これに限定されない。
【０１５６】
すなわち、３階以上の階から成る複数の部屋を有する建物において、各部屋に対して、本発明の換気空調システムを適用するようにして実施してもよい。
【０１５７】
また、実施例１〜８では、換気空調装置３，３０，３００，３０１，３０２，３０３，３０４，３０５を床下空間４に１台のみ設置して実施したが、これに限定されず、必要に応じ、複数台設置し実施してもよい。
【０１５８】
さらに、実施例１〜８では、排気口６，給気口７，ダクトを介さない別の給気口９及び内気排気口６０などを床部１ａに設けて実施したが、これに限定されず、これらを床上空間５の内壁などに設けて実施してもよい。
【符号の説明】
【０１５９】
１      建物
１Ａ    建物
１Ｂ    建物
１Ｃ    建物
１Ｄ    建物
１Ｅ    建物
１Ｆ    建物
１Ｇ    建物
１ａ    床部（床）
１ｂ    基礎底盤コンクリート
１ｃ    基礎側壁コンクリート（建物の外周の基礎）
１ｄ    外壁部
１ｅ    天井部
２      エアコンディショナの屋外機
２１    熱媒循環管路
３      空調装置
３０    空調装置
３００  空調装置
３０１  空調装置
３０２  空調装置
３０３  空調装置
３０４  空調装置
３０５  空調装置
３Ａ    エアコンディショナの屋内機（空調本体装置）
３Ｂ    エアワッシャー（気液接触型の空気清浄装置）
３１Ａ  外気吸込部
３１Ｂ  内気吸込部
３１Ｃ  床下用吸込部
３２    床上用吹出部
３３    床下用吹出部
３２ａ  開閉弁
３３ａ  開閉弁
４      床下空間
５      床上空間
６      排気口
６０    内気排気口
７      給気口
８１    ダクト
８２    ダクト
８３    ダクト
８４    ダクト
９      別の給気口
１０    基礎断熱材
１１    外気吸入口
１２    ドレイン
１３    コントローラ
１４    内気吐出口
１５    吐出用ファン
１６    吸入用ファン
【図１】
2011179807.tif 000003
【図２】
2011179807.tif 000004
【図３】
2011179807.tif 000005
【図４】
2011179807.tif 000006
【図５】
2011179807.tif 000007
【図６】
2011179807.tif 000008
【図７】
2011179807.tif 000009
【図８】
2011179807.tif 000010
【図９】
2011179807.tif 000011
【図１０】
2011179807.tif 000012
【図１１】
2011179807.tif 000013